【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
ａ）体液を受容するように構成されたスライドであって、前記スライドは、
ｉ）第１のチャンバであって、前記第１のチャンバは、前記体液中の第１の被分析物を検出する第１の試薬を含有する、第１のチャンバと、
ｉｉ）第２のチャンバであって、前記第２のチャンバは、前記体液中の第２の被分析物を検出する第２の試薬を含有する、第２のチャンバと
を備える、スライドと、
ｂ）前記スライドの前記第１のチャンバおよび前記第２のチャンバから視覚データを取得する撮像システムと
を備える、デバイス。
【請求項２】
前記第１の試薬および前記第１の被分析物は、前記第１のチャンバ内で混合され、前記第２の試薬および前記第２の被分析物は、前記第２のチャンバ内で混合される、請求項１に記載のデバイス。
【請求項３】
サンプリングチャンバの分析のために前記スライドを移動させるように構成された第１のモータをさらに備える、請求項１または２に記載のデバイス。
【請求項４】
前記モータは、前記サンプリングチャンバの分析のために前記スライドを平行移動させるように構成されている、請求項３に記載のデバイス。
【請求項５】
前記モータは、前記サンプリングチャンバの分析のために前記スライドを回転させるように構成されている、請求項３に記載のデバイス。
【請求項６】
光フィルタアセンブリを移動させるように構成された第２のモータをさらに備える、請求項１〜５のいずれか一項に記載のデバイス。
【請求項７】
伝送機をさらに備え、前記伝送機は、前記取得された視覚データを受信機に伝送するように構成されている、請求項１〜６のいずれか一項に記載のデバイス。
【請求項８】
前記スライドは、遠心分離によって前記体液の成分を分離するように構成されている、請求項１〜７のいずれか一項に記載のデバイス。
【請求項９】
前記スライドはさらに、試薬貯蔵チャンバと混合チャンバとを備え、前記スライドは、遠心分離によって、前記試薬貯蔵チャンバから前記混合チャンバに前記第１の試薬を抽出するように構成され、前記混合チャンバは、前記第１の試薬を前記体液と混合するように構成されている、請求項８に記載のデバイス。
【請求項１０】
前記スライドはさらに、付加的な試薬貯蔵チャンバを備え、前記スライドは、遠心分離によって、前記付加的な試薬貯蔵チャンバから前記混合チャンバに前記第２の試薬を抽出するように構成され、前記混合チャンバは、前記第２の試薬を前記体液と混合するように構成されている、請求項９に記載のデバイス。
【請求項１１】
前記体液は、血液である、請求項１〜１０のいずれか一項に記載のデバイス。
【請求項１２】
前記第１の被分析物は、赤血球である、請求項１〜１１のいずれか一項に記載のデバイス。
【請求項１３】
前記第２の被分析物は、白血球である、請求項１〜１２のいずれか一項に記載のデバイス。
【請求項１４】
前記スライドはさらに、前記スライドの表面を横断するチャネルを備え、前記チャネルは、前記第１のチャンバおよび前記第２のチャンバと接続している、請求項１〜１３のいずれか一項に記載のデバイス。
【請求項１５】
前記スライドはさらに、ポートを備え、前記ポートは、前記体液を受容し、前記体液を少なくとも１つのチャンバまで前記チャネルに通すように構成されている、請求項１〜１４のいずれか一項に記載のデバイス。
【請求項１６】
前記スライドはさらに、第３のチャンバを備え、前記第３のチャンバは、前記体液中の第３の被分析物を検出することが可能な第３の試薬を含有する、請求項１〜１５のいずれか一項に記載のデバイス。
【請求項１７】
前記第３の被分析物は、血小板である、請求項１６に記載のデバイス。
【請求項１８】
前記スライドはさらに、少なくとも１つの対照チャンバを備え、前記対照チャンバは、対照被分析物を含有する、請求項１〜１７のいずれか一項に記載のデバイス。
【請求項１９】
体液を分析するための方法であって、前記方法は、
ａ）前記体液をスライドに提供することであって、前記スライドは、第１のチャンバと、第２のチャンバとを備える、ことと、
ｂ）前記第１のチャンバ中で、第１の試薬を用いて、前記体液中の第１の被分析物を検出することと、
ｃ）前記第２のチャンバ中で、第２の試薬を用いて、前記体液中の第２の被分析物を検出することと、
ｄ）撮像システムによって、前記スライドの前記第１のチャンバおよび前記第２のチャンバから視覚データを取得することと、
ｅ）伝送機によって、前記取得された視覚データを受信機に伝送することと
を含む、方法。
【請求項２０】
前記第１の試薬および前記第１の被分析物は、前記第１のチャンバ内で混合され、前記第２の試薬および前記第２の被分析物は、前記第２のチャンバ内で混合される、請求項１９に記載の方法。
【請求項２１】
前記スライドは、遠心分離によって前記体液の成分を分離するように構成されている、請求項１９または２０に記載の方法。
【請求項２２】
前記スライドはさらに、試薬貯蔵チャンバと混合チャンバとを備え、前記スライドは、遠心分離によって、前記試薬貯蔵チャンバから前記混合チャンバに前記第１の試薬を抽出するように構成され、前記混合チャンバは、前記第１の試薬を前記体液と混合するように構成されている、請求項２１に記載の方法。
【請求項２３】
前記スライドはさらに、付加的な試薬貯蔵チャンバを備え、前記スライドは、遠心分離によって、前記付加的な試薬貯蔵チャンバから前記混合チャンバに前記第２の試薬を抽出するように構成され、前記混合チャンバは、前記第２の試薬を前記体液と混合するように構成されている、請求項２２に記載の方法。
【請求項２４】
前記体液は、血液である、請求項１９〜２３のいずれか一項に記載の方法。
【請求項２５】
前記第１の被分析物は、赤血球である、請求項１９〜２４のいずれか一項に記載の方法。
【請求項２６】
前記第２の被分析物は、白血球である、請求項１９〜２５のいずれか一項に記載の方法。
【請求項２７】
前記スライドはさらに、第３のチャンバを備え、前記方法はさらに、前記第３のチャンバ中で、第３の試薬を用いて、前記体液中の第３の被分析物を検出することを含む、請求項１９〜２６のいずれか一項に記載の方法。
【請求項２８】
前記第３の被分析物は、血小板である、請求項２７に記載の方法。
【請求項２９】
前記スライドはさらに、前記スライドの表面を横断するチャネルを備え、前記チャネルは、前記第１のチャンバおよび前記第２のチャンバと接続している、請求項１９〜２８のいずれか一項に記載の方法。
【請求項３０】
前記デバイスはさらに、ポートを備え、前記ポートは、前記体液を受容し、前記体液を少なくとも１つのチャンバまで前記チャネルに通すように構成されている、請求項１９〜２９のいずれか一項に記載の方法。
【請求項３１】
前記取得された視覚データを画像に変換することをさらに含む、請求項１９〜２０のいずれか一項に記載の方法。
【手続補正２】
【補正対象書類名】明細書
【補正対象項目名】０００８
【補正方法】変更
【補正の内容】
【０００８】
いくつかの実施形態では、本発明は、ａ）デバイスであって、ｉ）体液を受容するように構成されるスライドであって、スライドは、第１のチャンバと、第２のチャンバとを備える、スライドと、ｉｉ）スライドから視覚データを取得するように構成される、撮像システムとを備える、デバイスと、ｂ）体液中の第１の細胞型を検出することが可能な第１の試薬と、ｃ）体液中の第２の細胞型を検出することが可能な第２の試薬とを備える、キットを提供する。
本発明は、例えば、以下を提供する。
（項目１）
ａ）体液を受容するように構成されるスライドであって、前記スライドは、
ｉ）第１のチャンバであって、前記第１のチャンバは、前記体液中の第１の被分析物を検出することが可能な第１の試薬を含有する、第１のチャンバと、
ｉｉ）第２のチャンバであって、前記第２のチャンバは、前記体液中の第２の被分析物を検出することが可能な第２の試薬を含有する、第２のチャンバと、
を備える、スライドと、
ｂ）前記スライドから視覚データを取得するように構成される、撮像システムと、
を備える、デバイス。
（項目２）
伝送機をさらに備え、前記伝送機は、前記取得された視覚データを受信機に伝送するように構成される、項目１に記載のデバイス。
（項目３）
前記伝送は、無線である、項目２に記載のデバイス。
（項目４）
前記体液は、尿である、項目１に記載のデバイス。
（項目５）
前記体液は、血液である、項目１に記載のデバイス。
（項目６）
前記第１の被分析物は、赤血球である、項目１に記載のデバイス。
（項目７）
前記第２の被分析物は、白血球である、項目６に記載のデバイス。
（項目８）
前記スライドおよび前記撮像システムは、共通の筐体に含有される、項目１に記載のデバイス。
（項目９）
前記スライドは、可撤性である、項目８に記載のデバイス。
（項目１０）
前記スライドはさらに、前記スライドの表面を横断してチャネルを備え、前記チャネルは、前記第１のチャンバおよび前記第２のチャンバと接続している、項目９に記載のデバイス。
（項目１１）
前記スライドはさらに、ポートを備え、前記ポートは、前記体液を受容し、前記体液を少なくとも１つのチャンバまで前記チャネルに通過させるように構成される、項目１０に記載のデバイス。
（項目１２）
前記スライドはさらに、第３のチャンバを備え、前記第３のチャンバは、前記体液中の第３の被分析物を検出することが可能な第３の試薬を含有する、項目１に記載のデバイス。
（項目１３）
前記第３の被分析物は、血小板である、項目１２に記載のデバイス。
（項目１４）
前記スライドはさらに、少なくとも１つの対照チャンバを備え、前記対照チャンバは、対照被分析物を含有する、項目１に記載のデバイス。
（項目１５）
前記スライドは、わずか５マイクロリットルの体液を保持する、項目１に記載のデバイス。
（項目１６）
ａ）体液を受容するように構成される、スライドと、
ｂ）前記スライドから視覚データを取得するように構成される、撮像システムと、
ｃ）少なくとも１マイルの距離にわたって前記取得された視覚データを無線で伝送するように構成される、伝送機と、
を備える、デバイス。
（項目１７）
前記デバイスは、わずか２，０００ｇの質量を有する、項目１６に記載のデバイス。
（項目１８）
前記撮像システムは、前記スライドの少なくとも２つの異なる部分から視覚データを取得する、項目１６に記載のデバイス。
（項目１９）
前記スライドおよび前記撮像システムは、共通の筐体に含有される、項目１６に記載のデバイス。
（項目２０）
前記スライドは、可撤性である、項目１９に記載のデバイス。
（項目２１）
前記体液は、唾液である、項目１６に記載のデバイス。
（項目２２）
前記体液は、血液である、項目１６に記載のデバイス。
（項目２３）
前記撮像システムは、前記体液中の被分析物を検出するように構成される、項目１６に記載のデバイス。
（項目２４）
前記被分析物は、赤血球である、項目２３に記載のデバイス。
（項目２５）
前記被分析物は、白血球である、項目２３に記載のデバイス。
（項目２６）
前記被分析物は、血小板である、項目２３に記載のデバイス。
（項目２７）
前記スライドは、わずか５マイクロリットルの体液を保持する、項目１６に記載のデバイス。
（項目２８）
体液を分析するための方法であって、
ａ）前記体液をスライドに提供するステップであって、前記スライドは、第１のチャンバと、第２のチャンバとを備える、ステップと、
ｂ）前記第１のチャンバ中で、第１の試薬を用いて、前記体液中の第１の被分析物を検出するステップと、
ｃ）前記第２のチャンバ中で、第２の試薬を用いて、前記体液中の第２の被分析物を検出するステップと、
ｄ）撮像システムによって、前記スライドから視覚データを取得するステップと、
ｅ）伝送機によって、前記取得された視覚データを受信機に伝送するステップと、
を含む、方法。
（項目２９）
約１マイクロリットル〜約５マイクロリットルの体液が、前記スライドに提供される、項目２８に記載の方法。
（項目３０）
前記伝送は、無線である、項目２８に記載の方法。
（項目３１）
前記伝送機および前記受信機は、少なくとも１マイル離れている、項目３０に記載の方法。
（項目３２）
前記体液は、唾液である、項目２８に記載の方法。
（項目３３）
前記体液は、血液である、項目２８に記載の方法。
（項目３４）
前記第１の被分析物は、赤血球である、項目２８に記載の方法。
（項目３５）
前記第２の被分析物は、白血球である、項目３４に記載の方法。
（項目３６）
前記スライドはさらに、第３のチャンバを備え、前記方法はさらに、前記第３のチャンバ中で、第３の試薬を用いて、前記体液中の第３の被分析物を検出するステップを含む、項目３５に記載の方法。
（項目３７）
前記第３の被分析物は、血小板である、項目３６に記載の方法。
（項目３８）
前記スライドはさらに、前記スライドの表面を横断してチャネルを備え、前記チャネルは、前記第１のチャンバおよび前記第２のチャンバと接続している、項目２８に記載の方法。
（項目３９）
前記デバイスはさらに、ポートを備え、前記ポートは、前記体液を受容し、前記体液を少なくとも１つのチャンバまで前記チャネルを通過させるように構成される、項目２８に記載の方法。
（項目４０）
前記取得された視覚データを画像に変換するステップをさらに含む、項目２８に記載の方法。
（項目４１）
ａ）デバイスであって、
ｉ）体液を受容するように構成されるスライドと、
ｉｉ）前記スライドから視覚データを取得するように構成される撮像システムと、
ｉｉｉ）伝送機であって、前記伝送機は、前記取得された視覚データを無線で伝送する、伝送機と、
を備える、デバイスと、
ｂ）前記伝送機から前記無線で伝送された視覚データを受信する、受信機であって、前記伝送機および前記受信機は、少なくとも１マイルの距離にわたって通信するように構成される、受信機と、
を備える、システム。
（項目４２）
前記デバイスは、わずか２，０００ｇの質量を有する、項目４１に記載のシステム。
（項目４３）
前記撮像システムは、前記スライドの少なくとも２つの異なる部分から視覚データを取得するように構成される、項目４１に記載のシステム。
（項目４４）
前記スライド、前記撮像システム、および前記伝送機は、共通の筐体に含有される、項目４１に記載のシステム。
（項目４５）
前記体液は、唾液である、項目４１に記載のシステム。
（項目４６）
前記体液は、血液である、項目４１に記載のシステム。
（項目４７）
前記スライドは、少なくとも２つのチャンバを備える、項目４１に記載のシステム。
（項目４８）
前記スライドはさらに、前記スライドの表面を横断してチャネルを備え、前記チャネルは、前記第１のチャンバおよび前記第２のチャンバと接続している、項目４１に記載のシステム。
（項目４９）
前記撮像システムは、前記体液中の被分析物を検出するように構成される、項目４１に記載のシステム。
（項目５０）
前記被分析物は、赤血球である、項目４９に記載のシステム。
（項目５１）
前記被分析物は、白血球である、項目４９に記載のシステム。
（項目５２）
前記被分析物は、血小板である、項目４９に記載のシステム。
（項目５３）
前記スライドは、わずか５マイクロリットルの体液を保持する、項目４１に記載のシステム。
（項目５４）
前記受信機は、前記取得された視覚データに基づいて画像を生成するように構成される、コンピュータシステムと通信している、項目４１に記載のシステム。
（項目５５）
ａ）デバイスであって、
ｉ）体液を受容するように構成されるスライドであって、前記スライドは、第１のチャンバと、第２のチャンバとを備える、スライドと、
ｉｉ）前記スライドから視覚データを取得するように構成される、撮像システムと、
を備える、デバイスと、
ｂ）前記体液中の第１の細胞型を検出することが可能な第１の試薬と、
ｃ）前記体液中の第２の細胞型を検出することが可能な第２の試薬と、
を備える、キット。
（項目５６）
前記スライドはさらに、前記スライドの表面を横断してチャネルを備え、前記チャネルは、前記第１のチャンバおよび前記第２のチャンバと接続している、項目５５に記載のキット。
（項目５７）
前記スライドはさらに、ポートを備え、前記ポートは、前記体液を受容し、前記体液を少なくとも１つのチャンバまで前記チャネルを通過させるように構成される、項目５５に記載のキット。
（項目５８）
前記第１の細胞型は、赤血球である、項目５５に記載のキット。
（項目５９）
前記第２の細胞型は、白血球である、項目５８に記載のキット。
（項目６０）
前記スライドはさらに、第３のチャンバを備え、前記キットは、前記体液中の第３の細胞型を検出することが可能な第３の試薬を備える、項目５９に記載のキット。
（項目６１）
前記第３の細胞型は、血小板である、項目６０に記載のキット。